(57)【要約】      （修正有）【課題】装着時に窮屈感や圧迫感を与えることなく、しかも就寝時にバストの型くずれをより確実に防止できるバスト用補正下着を提供する。【解決手段】バスト用の補正下着は、装着者の両バストの露出を許すように肩から両バストの外側に伸び、アンダーバストを覆う前身頃部および該前身頃部に連なり背中を覆う後身頃部が縦横方向へ伸縮性を示す生地により形成された下着本体と、前記前身頃部の前記バストに沿った縁部に設けられ、バストの下部からその外側部に沿って形成され、前記バストの外側方への移動を防止すべく横方向に非伸縮性を示し、縦方向に伸縮性を示す生地で形成されたサポート部とを含む。【選択図】図１
0003143921.tif 000002
【実用新案登録請求の範囲】
【請求項１】
装着者の両バストの露出を許すように肩から両バストの外側に伸び、アンダーバストを覆う前身頃部および該前身頃部に連なり背中を覆う後身頃部が伸縮性を示す生地により形成された下着本体と、前記前身頃部の前記バストに沿った縁部に設けられ、バストの下部からその外側部に沿って形成され、前記バストの外側方への移動を防止すべく横方向に非伸縮性を示し、縦方向に伸縮性を示す生地で形成されたサポート部とを含む、バスト用の補正下着。
【請求項２】
前記下着本体の生地は、縦および横方向へ伸縮性を示す、請求項１に記載の補正下着。
【請求項３】
前記サポート部は、前記バストの下部から外側に沿うように、弧状に形成されている、請求項１に記載の補正下着。
【請求項４】
前記下着本体に形成される脇ぐりは、装着者の脇回りに沿うように、滑らかな曲線に沿って形成されている、請求項１に記載の補正下着。
【請求項５】
前記サポート部の前記バスト側に位置する内縁には、前記バストの外側部を受けるレース生地が取り付けられている、請求項３に記載の補正下着。
【請求項６】
前記前身頃部は、係止手段によって取り外し可能に連結される左右の前身頃部分から成る、請求項１に記載の補正下着。
【請求項７】
前記両前身頃部分は、相互に重ね合わせが可能であり前記係止手段が設けられる連結部を有し、前記連結部のアンダーバストに当接する面には、保護布が取り付けられている、請求項６に記載の補正下着。
【考案の詳細な説明】
【技術分野】
【０００１】
本考案は、就寝時に着用するのに適した補正下着に関し、特に、身体を締め付けることなくバストの型くずれを防止するバスト用の補正下着に関する。
【背景技術】
【０００２】
就寝時に装着するブラジャーに、バストすなわち乳房を覆ってこれを受け入れるカップ部が設けられたブラジャーがある（特許文献１）。これによれば、就寝時に乳房をカップ部で保持することにより、バストの型くずれを防止できるが、装着者に窮屈感や圧迫感を与え易い。
【０００３】
また、胸を圧迫しないブラジャーとして、乳房の上半部を含む大部分を露出させ、その下部および側面を支える単一素材からなるブラジャーが提案されている（特許文献２）。これによれば、胸を全体的に圧迫することなくバストアップの効果を得ることができる。しかしながら、乳房の大部分がブラジャーから露出するために、就寝時にバストの型くずれを防止することはできない。
【０００４】
【特許文献１】特開２００５−２３４９７号公報
【特許文献２】実平１−１６４７１１号公報
【考案の開示】
【考案が解決しようとする課題】
【０００５】
そこで、本考案の目的は、装着時に窮屈感や圧迫感を与えることなく、しかも就寝時にバストの型くずれをより確実に防止できるバスト用補正下着を提供することにある。
【課題を解決するための手段】
【０００６】
本考案に係る補正下着は、装着者の両バストの露出を許すように肩から両バストの外側に伸び、アンダーバストを覆う前身頃部および該前身頃部に連なり背中を覆う後身頃部が伸縮性を示す生地により形成された下着本体と、前記前身頃部の前記バストに沿った縁部に設けられ、バストの下部からその外側に沿って形成され、前記バストの外側方への移動を防止すべく横方向に非伸縮性を示しかつ縦方向に伸縮性を示す生地で形成されたサポート部とを含む。
【０００７】
本考案に係るバスト用の前記補正下着は、その下着本体が例えば縦横に伸縮性を示す生地からなり、この下着本体は、バストすなわち乳房を覆うことなく、その伸縮性により装着者の体を不要に締め付けることなく、装着者の体に適正に装着することができる。また、前記サポート部は横縦方向に非伸縮性を示すことから、バストの下部およびその外側部を覆うことにより、バストの側方への変形を確実に阻止する。さらに、前記サポート部はその縦方向の伸縮性により、両バストをその下方より適正に保持する。
【０００８】
従って、本考案によれば、装着時に窮屈感や圧迫感を与えることなく、バストの型くずれを確実に防止できる。就寝時に極めて有効な補正下着が提供できる。
【０００９】
前記サポート部は、前記バストの下部から外側に沿うように、弧状に形成することができる。
【００１０】
前記下着本体に形成される脇ぐりは、装着者の脇回りに沿うように、滑らかな曲線に沿って形成することが望ましい。
【００１１】
前記サポート部の前記バスト側に位置する内縁には、前記バストの外側部を受けるレース生地を取り付けることができる。
【００１２】
前記前身頃部は、係止手段によって取り外し可能に連結される左右の前身頃部分で構成することができる。
【００１３】
前記両前身頃部分は、その連結部で相互に重ね合わせを可能とすることができる。この場合、前記係止手段は前記連結部に設けられ、前記連結部のアンダーバストに当接する面には、肌に優しい保護布を取り付けることができる。
【考案の効果】
【００１４】
本考案によれば、前記したように、装着時に窮屈感や圧迫感を与えることなく、バストの型くずれを確実に防止できるので、就寝時に極めて有効な補正下着を提供することができる。
【考案を実施するための最良の形態】
【００１５】
以下、本考案を図示の実施例に沿って詳細に説明する。
【実施例】
【００１６】
図１は、本考案に係る補正下着１０が装着者１２に装着された状態を示す。補正下着１０は、図１に示すように、装着者１２の上半身に装着される下着本体１４と、該下着本体に取り付けられた一対（図１にはその一方のみを示す）のサポート部１６、１６とを含む。
【００１７】
下着本体１４は、装着者１２のバストの露出を許すように肩から両バストの外側に伸び、またアンダーバストを覆う前身頃部１４ａと、該前身頃部に連なり背中を覆う後身頃部１４ｂとを備える。図示の例では、これら両身頃部１４ａおよび１４ｂが連続する一枚の生地で形成されている。下着本体１４を構成する生地は、例えばパワーネットと称され、通気性に優れ、縦横、すなわち装着時の姿勢で見て上下方向および横方向への伸縮性を示す生地である。この生地により、装着者１２のバスト下を取り巻き、そのわき下に立ち上がる胴部と、該胴部から装着者１２の肩を巡る帯状のショルダー部とが一体で形成されている。
【００１８】
下着本体１４の前身頃部１４ａには、図２に明確に示されているように、装着者１２のアンダーバストから両バストの側方の曲線に沿った一対の弧状縁部１８、１８が形成されている。両バストは、両弧状縁部１８、１８より露出することから、着本体１４は両バストを覆うことなく露出させる。
【００１９】
各弧状縁部１８に沿って、各サポート部１６が前身頃部１４ａに縫い付けられている。各サポート部１６は、上下方向に伸縮性を示すが、横方向へ非伸縮性を示す、例えば５６０デニールの繊維で構成された生地で形成されている。
【００２０】
図示の例では、各弧状縁部１８のバストに向き合う内縁部には、該縁部に沿って対応する乳房の下部及び外側部を覆い込むレース生地２０、２０が縫い付けられている。このレース生地２０も、サポート部１６の生地におけると同様に、上下方向に伸縮性を示すが、横方向へ非伸縮性を示すレース生地を用いることが好ましい。
【００２１】
前身頃部１４ａのアンダーバストを覆う部分には、図３に示すように、前身頃部１４ａを左右の両前身頃部分に分離可能とする連結部２２ａ、２２ｂが設けられている。両連結部２２ａ、２２ｂは、少なくとも一部が相互に重なり合うことができる。一方の連結部２２ａの外面、すなわち装着者１２の肌に対向する面と反対側の面には、連結部２２ａの幅方向すなわち上下方向へ相互に間隔をおく３つのループからなる３連の係止部２４ａが設けられている。また、図示の例では、３連の係止部２４ａが横方向へ相互に間隔をおいて４段に形成されている。
【００２２】
他方の連結部２２ｂの連結部２２ａに対向する面には、３連の係止部２４ａに対応する３連のフック部２４ｂが形成されている。各フック部２４ｂは、対応する係止部２４ａに解除可能に係合する。したがって、係止部２４ｂおよびフック部２４ａは、前記両前身頃部分のための係止手段２４を構成する。このような係止手段を、図示のとおり、前身頃に設けることにより、高齢者にも補正下着１０の付け外しが容易になる。
【００２３】
前記係止手段２４によれば、装着者１２のアンダーバストの寸法に会わせて、３連のフック部２４ｂが係合する３連の係止部２４ａの段を選択することができる。また、前記一方の連結部２２ａの内面は、肌を保護するのに好適な例えばパイル生地から成る保護布２６で覆うことが望ましい。
【００２４】
また、図１に示すように、下着本体１４の脇ぐり２８は、装着者１２の脇回りに沿うように、滑らかな曲線に沿った円形とすることが望ましい。このような脇ぐり２８を採用することにより、下着本体１４による強い締め付け力を必要とすることなく下着本体１４のずれを生じ難くし、装着感を高めることができる。
【００２５】
本考案に係る補正下着１０では、その下着本体１４が縦横方向に伸縮性を示す生地からなる。この縦横方向に伸縮性を示す下着本体１４は、バスト覆うことなく、その伸縮性により装着者１２の体を不要に締め付けることなく、適正な装着を可能とする。
【００２６】
一対のサポート部１６は、横方向に非伸縮性を示すことから、両バストの下部およびその外側部を覆うことにより、前記バストの側方への変形を確実に阻止する。さらに、サポート部１６はその縦方向の伸縮性により、両バストをその下方より適正に保持する。
【００２７】
さらに、バストの下部及び外側部を覆い込むレース生地２０、２０は、バストを支持する機能を有することから、バストをより好適な形態に保持する。
【００２８】
したがって、本考案によれば、例えばブラジャーを外して補正下着１０を装着した状態で就寝することにより、就寝時に窮屈感や圧迫感を与えることなく、バストの型くずれを確実に防止できる。
【産業上の利用可能性】
【００２９】
本考案は、上記実施例に限定されず、その趣旨を逸脱しない限り、種々に変更することができる。例えば、係止手段２４として、ホックや面ファスナーのような種々の係止手段を採用することができる。また、本考案に係る補正下着は、就寝時に限らず、ブラジャーを装着した上から本考案に係る補正下着を着用することができる。
【図面の簡単な説明】
【００３０】
【図１】本考案に係る補正下着の装着状態を示す斜視図である。
【図２】図１に示した補正下着の正面図である。
【図３】図１に示した補正下着をその連結部に設けられた係止手段を解除した状態で示す斜視図である。
【符号の説明】
【００３１】
１０  補正下着
１２  装着者
１４  下着本体
１６  サポート部
１８  下着本体の弧状縁部
２０  レース生地
２２ａ、２２ｂ  連結部
２４（２４ａ、２４ｂ）  係止手段
２６  保護布
【図１】
0003143921.tif 000003
【図２】
0003143921.tif 000004
【図３】
0003143921.tif 000005